【手続補正書】
【提出日】平成20年7月29日(2008.7.29)
【手続補正１】
【補正対象書類名】明細書
【補正対象項目名】特許請求の範囲
【補正方法】変更
【補正の内容】
【特許請求の範囲】
【請求項１】
画像形成装置において、
露出閾値のあるフィルムを有する光導電体と、
前記光導電体に隣接して動作できる状態で配置される少なくとも一つの帯電器で、前記帯電器は静電的にフィルムを帯電させる、前記帯電器と、
前記光導電体に隣接して動作できる状態で配置される露出装置で、前記露出デバイスは、フィルム上に静電的画像を光学的に露出させ形成する、前記露出装置と、
前記光導電体に隣接して動作できる状態で配置されるトーニング・ステーションで、前記トーニング・ステーションはトナーをフィルム上に塗布し、トナーは電荷を持ち前記静電的画像に付着する、前記トーニング・ステーションと、
前記光導電体に隣接して動作できる状態で配置される濃度測定デバイスで、前記濃度測定デバイスは、トナー濃度と光導電体濃度の少なくとも一つを測定するために少なくとも一つのパルスを供給し、前記少なくとも一つのパルスは、本質的に前記フィルムの前記露出閾値より小さい、前記濃度測定デバイスと
を備えた画像形成装置。
【請求項２】
画像形成装置において、
露出閾値のあるフィルムを有する光導電体と、
前記光導電体に隣接して動作できる状態で配置される少なくとも一つの帯電器で、前記帯電器は静電的にフィルムを帯電させる、前記帯電器と、
前記光導電体に隣接して動作できる状態で配置される露出装置で、前記露出デバイスは、フィルム上に静電的画像を光学的に露出させ形成する、前記露出装置と、
前記光導電体に隣接して動作できる状態で配置されるトーニング・ステーションで、前記トーニング・ステーションはトナーをフィルム上に塗布し、トナーは電荷を持ち前記静電的画像に付着する、前記トーニング・ステーションと、
濃度計であって、
前記光導電体に隣接して配置されるエミッタで、前記エミッタは駆動信号に応じて少なくとも一つのパルスを供給し、前記少なくとも一つのパルスは、本質的に前記フィルムの前記露出閾値より小さく、前記少なくとも一つのパルスは、トナー濃度と光導電体濃度の少なくとも一つを測定する、前記エミッタと、
前記エミッタの反対側に配置されるコレクタ、
前記エミッタに接続されるパルス装置で、デューティ・サイクルに応じて前記エミッタに前記駆動信号を供給する、前記パルス装置と
を有する前記濃度計と、
を備えた画像形成装置。
【請求項３】
画像形成装置用のオンライン濃度計であって、
駆動信号にしたがって少なくとも一つのパルスを供給するエミッタと、
前記エミッタとの光学路に沿って前記少なくとも一つのパルスを受け取るために配置されるコレクタと、
デューティ・サイクルにしたがって、前記エミッタに前記駆動信号を供給するために接続されたパルス装置と
を備えた、オンライン濃度計。
【手続補正２】
【補正対象書類名】明細書
【補正対象項目名】００３１
【補正方法】変更
【補正の内容】
【００３１】
本発明のいろいろな実施例を記載し図解してきた。しかし、この記載と図解は、単に例示のつもりである。本発明の範囲内でより多くの実施例と実現が可能であり、それらは、この技術分野における通常の熟練を持つ人々に明らかである。したがって、本発明は、本明細書内の特定の詳細や代表的な実施例、そして図解した例に限定されない。よって、本発明は、添付の請求項やその同等物により必要である場合を除き、限定されることはない。
本発明の実施形態では、画像形成装置において、露出閾値のあるフィルムを有する光導電体と、前記光導電体に隣接して動作できる状態で配置される少なくとも一つの帯電器で、前記帯電器は静電的にフィルムを帯電させる、前記帯電器と、前記光導電体に隣接して動作できる状態で配置される露出装置で、前記露出デバイスは、フィルム上に静電的画像を光学的に露出させ形成する、前記露出装置と、前記光導電体に隣接して動作できる状態で配置されるトーニング・ステーションで、前記トーニング・ステーションはトナーをフィルム上に塗布し、トナーは電荷を持ち前記静電的画像に付着する、前記トーニング・ステーションと、前記光導電体に隣接して動作できる状態で配置される濃度測定デバイスで、前記濃度測定デバイスは、トナー濃度と光導電体濃度の少なくとも一つを測定するために少なくとも一つのパルスを供給し、前記少なくとも一つのパルスは、本質的に前記フィルムの前記露出閾値より小さい、前記濃度測定デバイスと、を備える。
上記画像形成装置において、濃度測定デバイスはさらに、光導電体に隣接して、対峙して配置される、エミッタとコレクタを備えることができる。
エミッタとコレクタは、光導電体を通過する光路を持つことができる。
エミッタは、約８８０ナノメータ以上の波長を持つことができ、例えば、このエミッタは、約９４０ナノメータから約９５０ナノメータまでの範囲に波長を持つことができる。また、このエミッタは可視光域に波長を持つことができる。
本発明の実施形態では、上記濃度測定デバイスはさらに、エミッタに接続されるパルス装置を備え、パルス装置はデューティ・サイクルに基づきエミッタへ駆動信号を供給し、このエミッタは駆動信号に応じて少なくとも一つのパルスを供給する。
本発明の実施形態において、パルス装置はパルス発振器を採用することができる。
また、濃度測定デバイスはさらに、エミッタと光導電体の間に配置されるシャッター装置を備え、このシャッター装置はデューティ・サイクルに基づきエミッタから光導電体を保護することができる。
本発明の実施形態において、上記エミッタは赤外発光ダイオード、又は発光ダイオードを備えることができる。
上記画像形成装置において、コレクタはフォトダイオードを備えることができる。このフォトダイオードはシリコン・フォトダイオードを採用することができる。
上記画像形成装置において、濃度測定デバイスはさらに、パルス装置とコレクタに動作できる状態で接続されるサンプル・ホールド（Ｓ／Ｈ）回路を備え、Ｓ／Ｈ回路はパルス装置から同期信号を受け取り、Ｓ／Ｈ回路は同期信号に応じてコレクタの出力信号をサンプルする。
上記画像形成装置において、Ｓ／Ｈ回路は、少なくとも一つのパルスの立ち上がり期間の後で出力信号をサンプルすることができる。
上記画像形成装置において、さらに制御デバイスを備え、Ｓ／Ｈ回路は出力信号を制御デバイスに供給することができる。
このＳ／Ｈ回路は集積回路を用いることができる。
上記画像形成装置において、濃度測定デバイスは約５％以下のデューティ・サイクルを持つことができ、また、前記濃度測定デバイスは約１％以上のデューティ・サイクルを持つことができる。
上記画像形成装置において、フィルムは赤外線に感度がある状態と色に感度がある状態の少なくとも一つを持つことができる。また、このフィルムはさらにプロセス・パッチを備え、トナー濃度と光導電体濃度の少なくとも一つは、プロセス・パッチのものとすることができる。
本発明の他の態様では、画像形成装置において、露出閾値のあるフィルムを有する光導電体と、前記光導電体に隣接して動作できる状態で配置される少なくとも一つの帯電器で、前記帯電器は静電的にフィルムを帯電させる、前記帯電器と、記光導電体に隣接して動作できる状態で配置される露出装置で、前記露出デバイスは、フィルム上に静電的画像を光学的に露出させ形成する、前記露出装置と、前記光導電体に隣接して動作できる状態で配置されるトーニング・ステーションで、前記トーニング・ステーションはトナーをフィルム上に塗布し、トナーは電荷を持ち前記静電的画像に付着する、前記トーニング・ステーションと、濃度計であって、前記光導電体に隣接して配置されるエミッタで、前記エミッタは駆動信号に応じて少なくとも一つのパルスを供給し、前記少なくとも一つのパルスは、本質的に前記フィルムの前記露出閾値より小さく、前記少なくとも一つのパルスは、トナー濃度と光導電体濃度の少なくとも一つを測定する、前記エミッタと、前記エミッタの反対側に配置されるコレクタ、前記エミッタに接続されるパルス装置で、デューティ・サイクルに応じて前記エミッタに前記駆動信号を供給する、前記パルス装置とを有する前記濃度計とを備える。
本発明の他の態様では、上記画像形成装置において、濃度計として透過型濃度計を採用できる。
上記画像形成装置において、エミッタは、約８８０ナノメータ以上の波長を持つことができ、例えば、約９４０ナノメータから約９５０ナノメータまでの範囲に波長を持つことができる。
このエミッタは可視光域に波長を持つことができる。
上記画像形成装置において、エミッタは赤外発光ダイオード、又は発光ダイオードを備えることができる。
上記画像形成装置において、コレクタはフォトダイオードを備えることができる。
上記画像形成装置において、デューティ・サイクルは約１％から約５％の範囲とすることができる。
上記画像形成装置において、フィルムは赤外線に感度がある状態と色に感度がある状態の少なくとも一つを持つことができる。フィルムはさらにプロセス・パッチを備えることができ、濃度計はプロセス・パッチ上でトナー濃度を決定することができる。
上記濃度計はさらに、パルス装置とコレクタに動作できる状態で接続されるサンプル・ホールド（Ｓ／Ｈ）回路を備えることができ、このＳ／Ｈ回路はパルス装置から同期信号を受け取り、Ｓ／Ｈ回路は前記同期信号に応じてコレクタの出力信号をサンプルする。
上記Ｓ／Ｈ回路は、少なくとも一つのパルスの立ち上がり期間の後で出力信号をサンプルすることができる。
本発明の他の態様では、画像形成装置用のオンライン濃度計であって、駆動信号にしたがって少なくとも一つのパルスを供給するエミッタと、前記エミッタとの光学路に沿って前記少なくとも一つのパルスを受け取るために配置されるコレクタと、デューティ・サイクルにしたがって、前記エミッタに前記駆動信号を供給するために接続されたパルス装置とを備えることができる。
上記オンライン濃度計は、さらに、コレクタとパルス装置に接続されるサンプル・ホールド（Ｓ／Ｈ）回路を備え、このＳ／Ｈ回路はパルス装置から同期信号に応じて、コレクタの出力信号をサンプルすることができる。
上記オンライン濃度計において、Ｓ／Ｈ回路は、少なくとも一つのパルスの立ち上がり期間の後で前記出力信号をサンプルすることができる。このＳ／Ｈ回路は集積回路を採用することができる。
上記オンライン濃度計において、さらにコレクタとＳ／Ｈ回路に動作できる状態で接続される増幅器を備え、増幅器は前記コレクタの出力信号をＳ／Ｈ回路に供給することができる。
上記オンライン濃度計において、増幅器は演算増幅器を採用することができる。
上記オンライン濃度計において、エミッタは、約８８０ナノメータ以上の波長を持つことができ、例えば約９４０ナノメータから約９５０ナノメータまでの範囲に波長を持つことができ、また、エミッタは可視光域に波長を持つことができる。
上記オンライン濃度計において、エミッタは赤外発光ダイオード又は発光ダイオードを備えることができる。
上記オンライン濃度計において、コレクタはフォトダイオードを備えることができ、このフォトダイオードはシリコン・フォトダイオードを採用することができる。
上記オンライン濃度計において、デューティ・サイクルは光導電体用のフィルムの露出限界より小さくすることができる。このデューティ・サイクルは約１％から約５％の範囲とすることができる。